(57)【要約】【課題】エアゾール容器の上端部に水等が溜まることを抑制可能な構造のエアゾール容器を提供する。【解決手段】エアゾール容器１００は、マウンテンカップ１４とステム１５とを有する容器本体１０と、マウンテンカップ１４に固定されているベース部材２０と、ベース部材２０に装着されているキャップ部（キャップ部材３０）とノズル部（ノズル部材４０）とを含むノズルユニット５０と、を備え、ベース部材２０は、被せ部１３よりも上に配置されていてマウンテンカップ１４の上面の環状の凹部１４ａの上方を覆う覆い部２５と、覆い部２５を貫通している貫通孔２７ａと、を有し、覆い部２５の周囲に配置されている筒状の壁部２３を介してキャップ部がベース部材２０に装着され、貫通孔２７ａを介してノズル部がステム１５と接続され、覆い部２５は、貫通孔２７ａ側から被せ部１３側に向けて下り傾斜している傾斜面２６ａを含み、壁部２３は排出路２３ａを有する。【選択図】図１
2019051951.tif 000002
【特許請求の範囲】
【請求項１】
内容液を貯留する有底の中空体と、前記中空体の上端部を閉塞しているマウンテンカップと、前記マウンテンカップを貫通して設けられていて押し込み操作により前記内容液を吐出するステムと、を有する容器本体を備えるエアゾール容器であって、
前記マウンテンカップに固定されているベース部材と、
前記ベース部材に装着されているキャップ部と、前記ステムと接続されて前記内容液を外部に吐出するノズル部と、を含むノズルユニットと、
を備え、
前記マウンテンカップは、平面視において前記ステムの周囲を囲んでいる環状の凹部を当該マウンテンカップの上面に有し、平面視において前記凹部の周囲に配置されている被せ部において前記中空体に対して固定されており、
前記ベース部材は、前記被せ部に対して固定されており、
前記ベース部材は、前記被せ部よりも上に配置されていて前記凹部の上方を覆う覆い部と、前記覆い部を上下に貫通している貫通孔と、を有し、
当該エアゾール容器は、更に、前記覆い部の周囲に配置されている筒状の壁部を備え、前記壁部を介して前記キャップ部が前記ベース部材に装着されており、
前記貫通孔を介して前記ノズル部が前記ステムと接続されており、
前記覆い部は、前記貫通孔側から前記被せ部側に向けて下り傾斜している傾斜面を含み、
前記壁部は、当該壁部を内外に貫通している排出路を有するエアゾール容器。
【請求項２】
前記覆い部は、前記傾斜面を有する円錐状の傘状部と、前記傘状部の中央部から上方に突出していて前記ステムと同軸に配置されている筒状部と、を有し、
前記貫通孔は、前記筒状部の内腔により構成されている請求項１に記載のエアゾール容器。
【請求項３】
前記筒状部は、前記ステムよりも上方に突出している請求項２に記載のエアゾール容器。
【請求項４】
前記排出路は、前記壁部の下端部を貫通している排出孔である請求項１から３のいずれか一項に記載のエアゾール容器。
【請求項５】
内容液を貯留する有底の中空体と、前記中空体の上端部を閉塞しているマウンテンカップと、前記マウンテンカップを貫通して設けられていて押し込み操作により前記内容液を吐出するステムとを有する容器本体と、
前記マウンテンカップに固定されているベース部材と、
を備え、
前記マウンテンカップは、平面視において前記ステムの周囲を囲んでいる環状の凹部を当該マウンテンカップの上面に有し、平面視において前記凹部の周囲に配置されている被せ部において前記中空体に対して固定されており、
前記ベース部材は、前記被せ部に対して固定されており、
前記ベース部材は、前記被せ部よりも上に配置されていて前記凹部の上方を覆う覆い部と、前記覆い部を上下に貫通している貫通孔と、前記覆い部の周縁部から上方に起立している筒状の壁部と、を有し、
キャップ部と、前記ステムと接続されて前記内容液を外部に吐出するノズル部と、を含むノズルユニットの前記キャップ部を、前記壁部に装着可能であるとともに、前記ノズル部を、前記貫通孔を介して前記ステムに接続可能であり、
前記覆い部は、前記貫通孔側から前記被せ部側に向けて下り傾斜している傾斜面を含み、
前記壁部は、当該壁部を内外に貫通している排出路を有する容器本体ユニット。
【請求項６】
内容液を貯留する有底の中空体と、前記中空体の上端部を閉塞しているマウンテンカップと、前記マウンテンカップを貫通して設けられていて押し込み操作により前記内容液を吐出するステムとを有するエアゾール容器の前記マウンテンカップに固定して用いられるアタッチメント部材であって、
前記マウンテンカップの被せ部に対して固定される固定部と、
前記被せ部よりも上に配置され、前記マウンテンカップの上面の環状の凹部の上方を覆う覆い部と、
前記覆い部を上下に貫通している貫通孔と、
前記覆い部の周縁部から上方に起立している筒状の壁部と、
を有し、
キャップ部と、前記ステムと接続されて前記内容液を外部に吐出するノズル部と、を含むノズルユニットの前記キャップ部を、前記壁部に装着可能であるとともに、前記ノズル部を、前記貫通孔を介して前記ステムに接続可能であり、
前記覆い部は、前記貫通孔側から前記固定部側に向けて下り傾斜している傾斜面を含み、
前記壁部は、当該壁部を内外に貫通している排出路を有するアタッチメント部材。
【発明の詳細な説明】
【技術分野】
【０００１】
本発明は、エアゾール容器、容器本体ユニット及びアタッチメント部材に関する。
【背景技術】
【０００２】
容器本体内に内容液及び加圧ガスが収容され、ステムが押し下げられることでノズルを介して内容液を外部に吐出するエアゾール容器が知られている（例えば特許文献１）。
【０００３】
特許文献１のエアゾール容器は、容器本体のマウンテンカップの被せ部（同文献のマウント２２）に固定されたベース部材（同文献の組付き体１）と、ベース部材の中央部に形成された筒状部（同文献のロック筒５）を介してステムと接続されているノズル部（同文献のノズルヘッド１２）を備えている。
【先行技術文献】
【特許文献】
【０００４】
【特許文献１】特開平９−４００４３号公報
【発明の概要】
【発明が解決しようとする課題】
【０００５】
しかしながら、特許文献１の技術では、ベース部材の外筒とノズル部との隙間からベース部材の内部に水等が入り込んだ場合、当該水がベース部材の内部に溜まってしまう。
【０００６】
本発明は、上記の課題に鑑みてなされたものであり、エアゾール容器の上端部に水等が溜まることを抑制可能な構造のエアゾール容器に関する。
【課題を解決するための手段】
【０００７】
本発明は、内容液を貯留する有底の中空体と、前記中空体の上端部を閉塞しているマウンテンカップと、前記マウンテンカップを貫通して設けられていて押し込み操作により前記内容液を吐出するステムと、を有する容器本体を備えるエアゾール容器であって、
前記マウンテンカップに固定されているベース部材と、
前記ベース部材に装着されているキャップ部と、前記ステムと接続されて前記内容液を外部に吐出するノズル部と、を含むノズルユニットと、
を備え、
前記マウンテンカップは、平面視において前記ステムの周囲を囲んでいる環状の凹部を当該マウンテンカップの上面に有し、平面視において前記凹部の周囲に配置されている被せ部において前記中空体に対して固定されており、
前記ベース部材は、前記被せ部に対して固定されており、
前記ベース部材は、前記被せ部よりも上に配置されていて前記凹部の上方を覆う覆い部と、前記覆い部を上下に貫通している貫通孔と、を有し、
当該エアゾール容器は、更に、前記覆い部の周囲に配置されている筒状の壁部を備え、前記壁部を介して前記キャップ部が前記ベース部材に装着されており、
前記貫通孔を介して前記ノズル部が前記ステムと接続されており、
前記覆い部は、前記貫通孔側から前記被せ部側に向けて下り傾斜している傾斜面を含み、
前記壁部は、当該壁部を内外に貫通している排出路を有するエアゾール容器に関する。
【発明の効果】
【０００８】
本発明によれば、エアゾール容器の上端部（壁部の内側の領域や、凹部内の領域等）に水等が溜まることを抑制できる。
【図面の簡単な説明】
【０００９】
【図１】実施形態に係るエアゾール容器の側断面図である。
【図２】実施形態に係るエアゾール容器の分解斜視図である。
【図３】実施形態に係るエアゾール容器の容器本体ユニットの平面図である。
【発明を実施するための形態】
【００１０】
以下、本発明の実施形態について、図１から図３を用いて説明する。なお、すべての図面において、同様の構成要素には同一の符号を付し、重複する説明は適宜に省略する。
本実施形態に係るエアゾール容器１００の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１１】
本実施形態において、エアゾール容器１００の各構成要素の位置関係（上下関係等）の説明は、特に断りのない場合は、図１に示すように容器本体１０の円筒状の胴部１１ａの軸方向を上下方向に配置した状態での位置関係を説明したものである。なお、容器本体１０は底部１１ｃ（図２）を有しており、底部１１ｃを水平な載置面上に載置した際には、エアゾール容器１００は、胴部１１ａの軸方向が上下方向に延在する姿勢で自立する。下記の説明において、上及び下とは、エアゾール容器１００を水平な載置面上で自立させたときの上下方向を意味する。ただし、エアゾール容器１００を手で持ったときの上下方向は、必ずしも下記の説明における上下とは一致しない。また、図１における左方を前方、右方を後方という。更に、図１における奥行き方向を左右方向という。
【００１２】
図１に示すように、本実施形態に係るエアゾール容器１００は、内容液を貯留する有底の中空体１１と、中空体１１の上端部を閉塞しているマウンテンカップ１４と、マウンテンカップ１４を貫通して設けられていて押し込み操作により内容液を吐出するステム１５と、を有する容器本体１０を備えるエアゾール容器１００である。
エアゾール容器１００は、マウンテンカップ１４に固定されているベース部材２０と、ベース部材２０に装着されているキャップ部（本実施形態の場合、キャップ部材３０）とステム１５と接続されて内容液を外部に吐出するノズル部（本実施形態の場合、ノズル部材４０）とを含むノズルユニット５０と、を備えている。
マウンテンカップ１４は、平面視においてステム１５の周囲を囲んでいる環状の凹部１４ａを当該マウンテンカップ１４の上面に有し、平面視において凹部１４ａの周囲に配置されている被せ部１３において中空体１１に対して固定されている。
ベース部材２０は、被せ部１３に対して固定されている。
ベース部材２０は、被せ部１３よりも上に配置されていて凹部１４ａの上方を覆う覆い部２５と、覆い部２５を上下に貫通している貫通孔２７ａと、を有する。
覆い部２５は、凹部１４ａの少なくとも一部分の上方を覆っている。好ましくは、覆い部２５は、凹部１４ａの全体の上方を覆っている。覆い部２５は、平面視において凹部１４ａよりも内側の部分まで、マウンテンカップ１４を覆っていることが好ましい。覆い部２５は、平面視において被せ部１３の内周縁よりも外側の部分まで、マウンテンカップ１４を覆っていることが好ましい。
エアゾール容器１００は、更に、覆い部２５の周囲に配置されている筒状の壁部２３を備え、壁部２３を介してキャップ部がベース部材２０に装着されている。なお、本実施形態の場合、ベース部材２０が壁部２３を有しており、壁部２３は覆い部２５の周縁部から上方に起立しており、壁部２３にキャップ部（本実施形態の場合、キャップ部材３０）が装着されている。より詳細には、キャップ部が壁部２３に対して螺合することにより装着されている。ただし、本発明は、この例に限らず、キャップ部（キャップ部材３０）が壁部２３を備えていて、キャップ部がベース部材２０に対して装着（例えばキャップ部材３０の後述する外筒部３２がベース部材２０に対して螺合されることにより装着）されていてもよい。
貫通孔２７ａを介してノズル部（本実施形態の場合、ノズル部材４０）がステム１５と接続されている。
覆い部２５は、貫通孔２７ａ側から被せ部１３側に向けて下り傾斜している傾斜面２６ａを含む。
傾斜面２６ａは、貫通孔２７ａの周囲の少なくとも一部分に配置されている。傾斜面２６ａは、貫通孔２７ａの周囲全周に配置されていることが好ましい。
壁部２３は、当該壁部２３を内外に貫通している排出路２３ａを有する。
【００１３】
本実施形態に係るエアゾール容器１００によれば、エアゾール容器１００の上端部に水等の液体がかかった場合に、覆い部２５の傾斜面２６ａに沿って当該液体を流下させ、更に、壁部２３の排出路２３ａを通して当該液体を外部に排出させることができる。よって、エアゾール容器１００の上端部（本実施形態の場合、ベース部材２０の壁部２３の内側の領域や、凹部１４ａ内の領域等）に水等が溜まることを抑制できる。
また、キャップ部（キャップ部材３０）が壁部２３を備えている場合は、キャップ部の壁部２３の内側の領域や、凹部１４ａ内の領域等）に水等が溜まることを抑制できる。
【００１４】
また、本実施形態に係る容器本体ユニット６０（図２参照）は、内容液を貯留する有底の中空体１１と中空体１１の上端部を閉塞しているマウンテンカップ１４とマウンテンカップ１４を貫通して設けられていて押し込み操作により内容液を吐出するステム１５とを有する容器本体１０と、マウンテンカップ１４に固定されているベース部材２０と、を備えている。
マウンテンカップ１４は、平面視においてステム１５の周囲を囲んでいる環状の凹部１４ａを当該マウンテンカップ１４の上面に有し、平面視において凹部１４ａの周囲に配置されている被せ部１３において中空体１１に対して固定されている。
ベース部材２０は、被せ部１３に対して固定されている。
ベース部材２０は、被せ部１３よりも上に配置されていて凹部１４ａの上方を覆う覆い部２５と、覆い部２５を上下に貫通している貫通孔２７ａと、覆い部２５の周縁部から上方に起立している筒状の壁部２３と、を有する。
このような容器本体ユニット６０においては、キャップ部（本実施形態の場合、キャップ部材３０）と、ステム１５と接続されて内容液を外部に吐出するノズル部（本実施形態の場合、ノズル部材４０）と、を含むノズルユニット５０のキャップ部を、壁部２３に装着可能であるとともに、ノズルユニット５０のノズル部を、貫通孔２７ａを介してステム１５に接続可能である。
覆い部２５は、貫通孔２７ａ側から被せ部１３側に向けて下り傾斜している傾斜面２６ａを含む。
壁部２３は、当該壁部２３を内外に貫通している排出路２３ａを有する。
容器本体ユニット６０は、本実施形態に係るエアゾール容器１００からノズルユニット５０（図２参照）を除いたものである。
【００１５】
また、本実施形態に係るアタッチメント部材は、上述の容器本体ユニット６０におけるベース部材２０である。
すなわち、本実施形態に係るアタッチメント部材は、内容液を貯留する有底の中空体１１と、中空体１１の上端部を閉塞しているマウンテンカップ１４と、マウンテンカップ１４を貫通して設けられていて押し込み操作により内容液を吐出するステム１５とを有するエアゾール容器１００のマウンテンカップ１４に固定して用いられるアタッチメント部材である。
このアタッチメント部材は、マウンテンカップ１４の被せ部１３に対して固定される固定部２１と、被せ部１３よりも上に配置されマウンテンカップ１４の上面の環状の凹部１４ａの上方を覆う覆い部２５と、覆い部２５を上下に貫通している貫通孔２７ａと、覆い部２５の周縁部から上方に起立している筒状の壁部２３と、を有する。
また、キャップ部（本実施形態の場合、キャップ部材３０）と、ステム１５と接続されて内容液を外部に吐出するノズル部（本実施形態の場合、ノズル部材４０）と、を含むノズルユニット５０のキャップ部を、壁部２３に装着可能であるとともに、ノズルユニット５０のノズル部を、貫通孔２７ａを介してステム１５に接続可能である。
覆い部２５は、貫通孔２７ａ側から固定部２１側に向けて下り傾斜している傾斜面２６ａを含み、壁部２３は、当該壁部２３を内外に貫通している排出路２３ａを有する。
【００１６】
容器本体１０は、例えば、金属製の缶容器であり、中空体１１及びマウンテンカップ１４は、それぞれ金属により構成されている。
中空体１１は、例えば、円筒状の胴部１１ａと、胴部１１ａの上側に連接されていて上方に向けて徐々に縮径している肩部１１ｂと、胴部１１ａの下端を閉塞している底部１１ｃと、を備えている。
マウンテンカップ１４は、容器本体１０の天面を構成している。
マウンテンカップ１４は、その周縁部において、肩部１１ｂの上端縁に対してクリンプ固定されている。すなわち、マウンテンカップ１４と肩部１１ｂとは、マウンテンカップ１４の周縁に沿った平面視円環状の被せ部１３において相互に固定されている。
ステム１５は、マウンテンカップ１４の平面視における中央部を上下に貫通している。ステム１５は、胴部１１ａと同軸に配置されている。ステム１５の先端には内容液を吐出する開口が形成されている。
上述のように、マウンテンカップ１４の上面には、平面視においてステム１５の周囲を囲んでいる環状の凹部１４ａが形成されている。
被せ部１３は平面視において凹部１４ａの周囲に配置されている。被せ部１３及びステム１５は凹部１４ａよりも上方に配置されている。
【００１７】
容器本体１０の内部には内容液が充填されている。加圧ガスは、内容液の収容領域とは別の収容領域に収容されていても良いし、内容液と同一の収容領域に収容されていても良い。
ステム１５がマウンテンカップ１４に対して相対的に押し下げられることにより、容器本体１０の内部に充填されている内容液が、加圧ガスによる付勢によってステム１５を介して吐出されるようになっている。より詳細には、例えば、容器本体１０の内部には柔軟な内袋（不図示）が収容されていて、内袋に内容液が収容されている一方で、内袋の周囲の領域（内袋の外面と中空体１１又はマウンテンカップ１４の内面との間隙）に加圧ガスが収容されていて、加圧ガスにより内容液が吐出されるようになっている。ただし、本発明は、この例に限らず、内容液と加圧ガスとが同一の収容領域に収容されていて、内容液と加圧ガスとが混合されて吐出されるようになっていてもよい。
なお、本実施形態に係るエアゾール容器１００の容器本体１０（マウンテンカップ１４及びステム１５を含む）は一般的なエアゾール容器が備える容器本体と同様の構造であるため、容器本体１０の詳細な説明は省略する。
容器本体１０に充填されている内容液の種類は特に限定されない。内容液としては、ヘアケア剤、染毛剤などの毛髪化粧料、ヘアスタイリング剤、洗顔料、シェービング剤、浴室用などの洗剤、頭髪洗浄剤等が挙げられる。また、内容液は、非泡状の液状（クリーム状など）で吐出されるものであってもよいし、泡状で吐出されるものであってもよい。
【００１８】
ベース部材２０は、被せ部１３に対して嵌合することにより固定される平面視円環状の固定部２１を備えている。固定部２１は、下向きに開口している平面視円環状の嵌合凹部２１ａを有している。被せ部１３が嵌合凹部２１ａ内に嵌入することによって、ベース部材２０が被せ部１３に固定されている。例えば、被せ部１３は当該被せ部１３の全周に亘り嵌合凹部２１ａに嵌入している。
ベース部材２０は、例えば、固定部２１の周縁部から下方に延びていて肩部１１ｂの少なくとも一部分を覆っている環状のスカート部２２を備えている。スカート部２２の下端部は肩部１１ｂの外面に対して当接又は近接している。
【００１９】
上述のように、ベース部材２０は、被せ部１３よりも上に配置されていてマウンテンカップ１４の凹部１４ａの上方を覆う覆い部２５と、覆い部２５を上下に貫通している貫通孔２７ａと、覆い部２５の周縁部から上方に起立している筒状の壁部２３と、を有する。
壁部２３は、ステム１５及び肩部１１ｂと同軸の円筒状に形成されている。
【００２０】
本実施形態の場合、覆い部２５は、傾斜面２６ａを有する円錐状の傘状部２６と、傘状部２６の中央部から上方に突出していてステム１５と同軸に配置されている筒状部２７と、を有している。貫通孔２７ａは、筒状部２７の内腔により構成されている。
よって、傾斜面２６ａが貫通孔２７ａの周囲全周を囲んでおり、貫通孔２７ａの周囲全周において、傾斜面２６ａによって水等の液体をスムーズに流下させることができるようになっている。
また、筒状部２７の貫通孔２７ａを介してノズル部材４０がステム１５に接続されているので、ノズル部材４０の押下げ時に筒状部２７によってノズル部材４０をガイドすることができ、ノズル部材４０の姿勢を安定させることが可能である。
【００２１】
筒状部２７は、例えば、円筒状に形成されており、傘状部２６の上端部から上方に突出している。
図３に示すように、平面視において、貫通孔２７ａの内側にステム１５が配置されており、且つ、ステム１５と貫通孔２７ａとは互いに同軸に配置されている。
筒状部２７の下端の高さ位置は、ステム１５の上端の高さ位置よりも低いことが好ましい。このようにすることによって、筒状部２７によってノズル部材４０をより好適にガイドすることができる。
【００２２】
筒状部２７は、ステム１５よりも上方に突出している。これにより、ノズルユニット５０をベース部材２０に装着する前の状態において、筒状部２７によってステム１５を保護できるため、ステム１５に対する誤操作を抑制することが可能である。
【００２３】
本実施形態の場合、覆い部２５は、傘状部２６の下端部から周囲に張り出している円環状の張出部２８を更に備えている。本実施形態の場合、張出部２８は、傘状部２６の下端部から水平に張り出している。
壁部２３は、固定部２１の上面から上方に起立している。
ここで、覆い部２５の張出部２８の周縁部は固定部２１の上端部に接続されている。このため、壁部２３は、覆い部２５の周縁部から上方に起立している、と言える。なお、覆い部２５の一部分と固定部２１の一部分とが重複していてもよい。すなわち、覆い部２５の一部分が固定部２１の一部分を兼ねているとともに、固定部２１の一部分が覆い部２５の一部分を兼ねていてもよい。
【００２４】
壁部２３の外周面には、ねじ山が形成されており、壁部２３は雄ねじ形状に形成されている。
壁部２３は、例えば、筒状部２７よりも上方に突出している。
【００２５】
本実施形態の場合、図２に示すように、排出路２３ａは、壁部２３の下端部を貫通している排出孔である。
排出路２３ａが壁部２３の下端部に配置されているため、壁部２３の内側の領域から排出路２３ａを介して水等の液体をスムーズに排出でき、当該液体が壁部２３の内側の領域に溜まってしまうことを抑制できる。
【００２６】
より詳細には、排出路２３ａは、例えば、半月状に形成されており、下部ほど幅広となるように配置されている。このため、排出路２３ａを介した水等の液体の排出をより好適に行うことができるようになっている。
壁部２３には、例えば、複数の排出路２３ａが形成されている。一例として、図３に示すように、２つの排出路２３ａが壁部２３に形成されている。これら２つの排出路２３ａは、例えば、平面視において、筒状部２７を基準として互いに１８０度対向する位置に配置されている。
なお、好ましくは、傾斜面２６ａの下端と排出路２３ａの下端とは、互いに同じ高さ位置に配置されている。より詳細には、傾斜面２６ａの下端と張出部２８の上面とが互いに同じ高さ位置に配置されている。
また、張出部２８の上面と固定部２１の上面とが互いに同等の高さ位置に配置されている。
ここで、本発明において、覆い部２５は、張出部２８を備えていなくてもよい。この場合、例えば、傾斜面２６ａの下端が壁部２３の内周面に達している。
【００２７】
ノズルユニット５０は、それぞれ以下に詳述するキャップ部材３０とノズル部材４０とを相互に組み付けることにより構成されている。
本実施形態の場合、ノズル部材４０とキャップ部材３０とはそれぞれ別個に成形されている。キャップ部材３０は当該キャップ部材３０の全体が一体成形されており、ノズル部材４０は当該ノズル部材４０の全体が一体成形されている。
ノズルユニット５０は、容器本体ユニット６０のベース部材２０に対して着脱可能に装着されている。
【００２８】
キャップ部材３０は、例えば、ベース部材２０の壁部２３に対して着脱可能に装着される円筒状の装着部３１と、装着部３１と同軸に装着部３１の周囲に配置されている円筒状の外筒部３２と、を備えている。
外筒部３２は装着部３１よりも下方に突出している。換言すれば、装着部３１の下縁は外筒部３２の下縁よりも上方に位置している。
外筒部３２の下縁は、固定部２１の上面の周縁部の上方に位置している。
装着部３１の内周面には、ねじ山が形成されており、装着部３１は雌ねじ形状に形成されている。
装着部３１を壁部２３に対して螺合させることにより、キャップ部材３０をベース部材２０に対して着脱可能に装着できるようになっている。すなわち、本実施形態の場合、キャップ部（キャップ部材３０）はスクリューキャップである。
なお、キャップ部材３０は、当該キャップ部材３０をベース部材２０に装着するときとは逆回りに装着部３１を壁部２３に対して回転させることにより、ベース部材２０から取り外すことができる。
【００２９】
ここで、装着部３１を壁部２３に螺合させると、壁部２３の上縁が天面部３３の下面に突き当たり、壁部２３に対する装着部３１の回転が規制される。このとき、図１に示すように、外筒部３２の下縁と固定部２１の上面の周縁部との間には、間隙５１が形成されている。
このため、排出路２３ａを介して壁部２３の外側に排出された水等の液体は、間隙５１を介してエアゾール容器１００の外部に排出されるようになっている。
【００３０】
外筒部３２の内周面には、上下に延在するリブ３２ａ（図２）が形成されている。キャップ部材３０をベース部材２０に装着した状態（図１の状態）では、リブ３２ａの下端が固定部２１の上面に当接又は近接するようになっている。
固定部２１の上面には、ストッパー部２１ｂと、ストッパー部２１ｂの近傍に配置されているロック部２１ｃと、が形成されている。
ストッパー部２１ｂは、例えば、ベース部材２０の径方向に延在するリブである。
ロック部２１ｃは、例えば、ストッパー部２１ｂに対して並列に延在するリブである。ただし、ロック部２１ｃの高さ寸法は、ストッパー部２１ｂの高さ寸法よりも小さい。
【００３１】
壁部２３に対して装着部３１を螺合させるときの最終段階において、先ず、リブ３２ａの下端部がロック部２１ｃを乗り超えた後、リブ３２ａがストッパー部２１ｂに当接することで当該リブ３２ａの移動が規制される。これによって、壁部２３に対する装着部３１の回転が規制されるとともに、ストッパー部２１ｂとロック部２１ｃとの間にリブ３２ａの下端部が保持される。
【００３２】
キャップ部材３０が有するリブ３２ａの数、及び、ベース部材２０が有するストッパー部２１ｂ及びロック部２１ｃの数は、１つずつであってもよいし、複数ずつであってもよい。
本実施形態の場合、キャップ部材３０が２つのリブ３２ａを有しているとともに、ベース部材２０が２つずつのストッパー部２１ｂ及びロック部２１ｃを有している。例えば、１組のストッパー部２１ｂ及びロック部２１ｃと、もう１組のストッパー部２１ｂ及びロック部２１ｃとは、平面視において、壁部２３を基準として互いに１８０度対向する位置に配置されている。
【００３３】
ここで、図３に示すように、各排出路２３ａは、各ストッパー部２１ｂと隣接する位置であって、ストッパー部２１ｂを基準としてロック部２１ｃ側とは反対側の位置に配置されている。
よって、排出路２３ａを通して外部に排出された液体の流動がロック部２１ｃやリブ３２ａによって妨げられてしまうことを抑制できるとともに、当該液体をストッパー部２１ｂに沿ってスムーズに外部に排出させることができるようになっている。
【００３４】
キャップ部材３０は、更に、装着部３１及び外筒部３２の上端に水平に設けられている天面部３３を備えている。装着部３１と外筒部３２とは天面部３３を介して相互に一体化されている。
天面部３３には開口が形成されており、ノズル部材４０の後述する第１筒部４１は天面部３３の開口を上下に貫通している。
キャップ部材３０は、更に、天面部３３における開口の後縁から上方に起立している起立部３４（図１）を備えている。
起立部３４には、ノズル部材４０の後述する被ガイド片４６を上下にガイドするガイド部（不図示）が形成されている。
また、天面部３３における開口の左右縁部にはそれぞれノズル部材４０の左右一対の被ガイド片（後述）を上下にガイドする左右一対のガイド部（不図示）が形成されている。
なお、左右一対のガイド部には、ノズル部材４０の左右一対の被ガイド片をそれぞれ下支えする支持部（不図示）が形成されている。このため、キャップ部材３０に対してノズル部材４０を組み付けてノズルユニット５０を構成した状態において、ノズル部材４０がキャップ部材３０から下方に脱落することが規制されるようになっている。
【００３５】
ここで、天面部３３は、装着部３１の上端を部分的に塞いでいる。天面部３３において装着部３１の上端部を塞いでいる部分は、覆い部２５の一部分の上方を覆っている。
このように、キャップ部材３０は、壁部２３に装着されている筒状の装着部３１と、装着部３１の上端を部分的に塞いでいる天面部３３と、を有し、天面部３３が覆い部２５の上方を覆っている。
このような構成により、装着部３１の内側の空間への水等の浸入を抑制できるようになっている。
【００３６】
キャップ部材３０は、更に、天面部３３の後端部に設けられている指掛け部３５を備えている。指掛け部３５は、例えば、Ｌ字状に形成されており、天面部３３の後端部から後方に延出している後方延出部と、後方延出部の後端部から下方に延出している下方延出部と、を備えている。
【００３７】
キャップ部材３０は、更に、外筒部３２に対して揺動可能に設けられている操作レバー部３６を備えている。操作レバー部３６は、例えば、外筒部３２の前端部における上端部に対し、ヒンジ部３７を介して揺動可能に設けられている。本実施形態の場合、装着部３１、外筒部３２、天面部３３、起立部３４及び指掛け部３５と、操作レバー部３６とは、ヒンジ部３７を介して一体成形されている。すなわち、エアゾール容器１００は、装着部３１、外筒部３２、天面部３３、起立部３４、指掛け部３５、操作レバー部３６及びヒンジ部３７を含む１個の合成樹脂成形部材であるキャップ部材３０を備えている。ヒンジ部３７は、キャップ部材３０が部分的に薄肉に成形されることにより構成された薄肉ヒンジである。
ただし、本発明は、この例に限らず、操作レバー部３６と、装着部３１、外筒部３２、天面部３３、起立部３４及び指掛け部３５とは、互いに別体に成形されていて、蝶番により構成されたヒンジ部を介して操作レバー部３６が外筒部３２に対して軸支されていてもよい。
図２に示すように、例えば、外筒部３２の前端部における左右両端部にそれぞれヒンジ部３７が配置されており、これら左右一対のヒンジ部３７により操作レバー部３６が外筒部３２に対して軸支されている。なお、各ヒンジ部３７の軸方向は、左右方向に延在しており、且つ、互いに同軸に配置されている。操作レバー部３６は、図１において、ヒンジ部３７を起点として、右斜め上に延びている。操作レバー部３６は、外筒部３２に対して上下方向に揺動可能となっている。操作レバー部３６の後端部は、ノズル部材４０よりも後方に延出している。
操作レバー部３６は、ノズル部材４０に対して係合している図示しない左右一対の押下げ部を有している。使用者が操作レバー部３６の後端部を下方に押し下げることにより、操作レバー部３６の押下げ部からノズル部材４０に押下げ力が伝達され、ノズル部材４０がステム１５と一体に押し下げられるようになっている。この際、テコの原理によりステム１５を軽い力で押し下げることができるようになっている。
操作レバー部３６の後端部の上面には、凹部が形成されており、使用者が当該凹部を押圧して操作レバー部３６を押し下げることができるようになっている。
【００３８】
ノズル部材４０は、例えば、ステム１５の先端部（上端部）に装着されている第１筒部４１と、第１筒部４１の先端（上端）に連接されていて第１筒部４１に対して略直交している第２筒部４２と、を相互に一体的に備えている。
第１筒部４１は、その軸方向が上下に延在している。第１筒部４１の下端部は筒状部２７の内部に上方から挿入され、当該下端部がステム１５の上端部に外嵌されている。これにより、ノズル部材４０がステム１５に取り付けられている。
第１筒部４１の内部には、上下に延在する流路が形成されている。ノズル部材４０がステム１５に取り付けられた状態で、第１筒部４１内部の流路がステム１５の内部空間と連通している。
【００３９】
第１筒部４１は、円筒状に形成されている。第１筒部４１は、ステム１５及び筒状部２７と同軸に配置されている。
第１筒部４１の外径と筒状部２７の内径（貫通孔２７ａの内径）との差は、２ｍｍ以下であることが好ましく、１ｍｍ以下であることが更に好ましく、典型的には例えば０．５ｍｍ程度とすることができる。第１筒部４１の外径と貫通孔２７ａの内径との差が２ｍｍ以下であることにより、第１筒部４１と貫通孔２７ａとの隙間から覆い部２５の内側に水等が浸入してしまうことを好適に抑制できる。また、覆い部２５の貫通孔２７ａに第１筒部４１を安定的に上下にガイドすることができる。
また、貫通孔２７ａの内径は、１０ｍｍ以下であることが好ましく、このようにすることによって、貫通孔２７ａ内への使用者の指の侵入を抑制でき、覆い部２５によってステム１５をより確実に保護することができる。また、貫通孔２７ａの内径は、４ｍｍ以上であることが好ましく、このようにすることによって、内容液をスムーズに吐出できる内径を有するノズル部材４０の第１筒部４１を容易に貫通孔２７ａに挿通させることができる。
【００４０】
第２筒部４２は、第１筒部４１の先端から、容器本体１０の径方向における一方向に向けて延出している。すなわち、ノズル部材４０は、容器本体１０の径方向における一方向に向けてステム１５から突出している。ここで、容器本体１０の径方向とは、円筒状の胴部１１ａの軸方向に対して直交する方向である。また、ステム１５からのノズル部材４０の突出方向（図１における左方）を前方とする。図１に示すように、ノズル部材４０は、例えば、胴部１１ａよりも前方に突出している。
第２筒部４２の内部には、水平に延在する流路が形成されている。第１筒部４１内部の流路と第２筒部４２内部の流路とは連通している。第２筒部４２内部の流路の下流端、すなわち第２筒部４２の先端（前端）には、吐出口４３が形成されている。
【００４１】
ノズル部材４０は、キャップ部材３０の操作レバー部３６の押下げ部からの押圧力を受ける受部（不図示）を有している。ノズル部材４０は、例えば、第１筒部４１の左右の側面から左右に突出している左右一対の受部を有している。ノズル部材４０の左右一対の受部には、ノズル部材４０の左右一対の押下げ部がそれぞれ係合している。
ノズル部材４０は、操作レバー部３６からの押圧力を受けると、該押圧力をステム１５に伝達し、ステム１５と一体的に押し下げられる。
ステム１５が押し下げられると、ステム１５から内容液が吐出される。ステム１５から吐出された内容液は、第１筒部４１内部の流路及び第２筒部４２内部の流路をこの順に通過して、第２筒部４２の先端の吐出口４３からエアゾール容器１００の外部に吐出される。
【００４２】
ノズル部材４０は、更に、操作レバー部３６によって押し下げられる際にキャップ部材３０によってガイドされる複数の被ガイド片を備えている。これら被ガイド片は、例えば、板面が鉛直に配置された平板状の部分である。
一例として、ノズル部材４０は、第１筒部４１の左右の側面にそれぞれ形成された左右一対の被ガイド片（不図示）と、第１筒部４１の後面に成された被ガイド片４６と、を備えている。
左右一対の被ガイド片は、板面が前後方向を向いており、被ガイド片４６は板面が左右方向を向いている。
【００４３】
ノズルユニット５０のキャップ部材３０の装着部３１をベース部材２０の壁部２３に対して螺合させることにより、キャップ部材３０をベース部材２０に対して装着することができるとともに、ノズル部材４０の第１筒部４１の下端部がステム１５の上端部に対して外嵌されて、ノズル部材４０をステム１５に取り付けることができるようになっている。
ノズルユニット５０が容器本体ユニット６０に装着されることにより、ノズルユニット５０と容器本体ユニット６０とを含むエアゾール容器１００が構成されている。
【００４４】
エアゾール容器１００は、例えば、浴室等、エアゾール容器１００に水等の液体がかかる場所で使用することができる。その場合、天面部３３の開口を介して、壁部２３の内側に液体が浸入する場合があるが、覆い部２５の傾斜面２６ａに沿って当該液体を覆い部２５の周縁部にスムーズに流下させ、更に、壁部２３の排出路２３ａを介して当該液体を壁部２３の外側に排出させることができる。
ここで、傾斜面２６ａの下端と壁部２３との間には張出部２８が存在するが、張出部２８の上面の高さ位置は傾斜面２６ａの下端と同じであるため、液体を傾斜面２６ａの下端から張出部２８の上面及び排出路２３ａを介してスムーズに壁部２３の外側に排出させることができる。張出部２８は、壁部２３へ向けて傾斜（下り傾斜）していてもよく、この場合、張出部２８の傾斜した上面に沿って液体を壁部２３側に向けてスムーズに流下させることができる。また、固定部２１の上面は、壁部２３から間隙５１へ向けて傾斜（下り傾斜）していてもよく、この場合、固定部２１の傾斜した上面に沿って液体を間隙５１側に向けてスムーズに流下させることができる。更に筒状部２７の上端面も壁部２３へ向けて傾斜（下り傾斜）していてもよく、この場合、筒状部２７の傾斜した上端面に沿って液体を壁部２３側（筒状部２７の周囲）に向けてスムーズに流下させることができる。
更に、外筒部３２の下縁と固定部２１の上面の周縁部との間には間隙５１が形成されているため、壁部２３の外側に排出された液体を、間隙５１を介してスムーズにエアゾール容器１００の外部に排出させることができる。
よって、エアゾール容器１００の上端部（壁部２３の内側の領域や、凹部１４ａ内の領域等）に水等の液体が溜まることを抑制でき、エアゾール容器１００を衛生的に使用することができる。あるいは、エアゾール容器１００を移動させる際に、内部に溜まった水が予期せずにベース部材２０の外にこぼれ出る不具合を防ぐことができる。
【００４５】
なお、エアゾール容器１００のノズルユニット５０と容器本体ユニット６０とのうち、容器本体ユニット６０を使い捨てとし、ノズルユニット５０を再利用することができる。
ノズルユニット５０から使用済みの容器本体ユニット６０を取り外した後、新しい容器本体ユニット６０にノズルユニット５０を装着することにより、引き続き、ノズルユニット５０と新たな容器本体ユニット６０とをエアゾール容器１００として使用することができる。
また、容器本体ユニット６０の販売等の流通段階において、ベース部材２０の覆い部２５及び筒状部２７によってステム１５を保護することができるので、容器本体ユニット６０にステム１５を保護するためのキャップを別途設ける必要が無い。
【００４６】
以上のような実施形態によれば、ベース部材２０は、被せ部１３よりも上に配置されていてマウンテンカップ１４の凹部１４ａの上方を覆う覆い部２５と、覆い部２５を上下に貫通している貫通孔２７ａと、を有しており、覆い部２５の周囲に配置されている筒状の壁部２３を介してキャップ部（キャップ部材３０）がベース部材２０に装着されており、貫通孔２７ａを介してノズル部（ノズル部材４０）がステム１５と接続されている。そして、覆い部２５は、貫通孔２７ａ側から被せ部１３側に向けて下り傾斜している傾斜面２６ａを含み、壁部２３は、当該壁部２３を内外に貫通している排出路２３ａを有する。よって、覆い部２５の傾斜面２６ａに沿って水等の体を流下させ、更に、壁部２３の排出路２３ａを通して当該液体を壁部２３の外側に排出させることができる。このため、エアゾール容器１００の上端部に水等が溜まることを抑制できる。
【００４７】
本発明は上述の実施形態に限定されるものではなく、本発明の目的が達成される限りにおける種々の変形、改良等の態様も含む。
【００４８】
例えば、上記においては、ノズルユニット５０のキャップ部（キャップ部材３０）とノズル部（ノズル部材４０）とがそれぞれ別個に成形されている例を説明したが、ノズルユニット５０のキャップ部とノズル部とは互いに一体成形されていてもよい。
【００４９】
また、上記においては、排出路２３ａが排出孔である例を説明したが、排出路２３ａは、スリット又は切欠形状部であってもよい。この場合、排出路２３ａは、例えば、壁部２３の周方向における一部領域において、壁部２３の上端から下端に亘って形成されていてもよい。
【００５０】
また、上記においては、キャップ部（キャップ部材３０）がスクリューキャップである例を説明したが、キャップ部（キャップ部材３０）は、壁部２３の上端部を当該キャップ部に対して圧入することによってベース部材２０に装着されるようになっていてもよい。
【符号の説明】
【００５１】
１０  容器本体
１１  中空体
１１ａ  胴部
１１ｂ  肩部
１１ｃ  底部
１３  被せ部
１４  マウンテンカップ
１４ａ  凹部
１５  ステム
２０  ベース部材（アタッチメント部材）
２１  固定部
２１ａ  嵌合凹部
２１ｂ  ストッパー部
２１ｃ  ロック部
２２  スカート部
２３  壁部
２３ａ  排出路
２５  覆い部
２６  傘状部
２６ａ  傾斜面
２７  筒状部
２７ａ  貫通孔
２８  張出部
３０  キャップ部材（キャップ部）
３１  装着部
３２  外筒部
３２ａ  リブ
３３  天面部
３４  起立部
３５  指掛け部
３６  操作レバー部
３７  ヒンジ部
４０  ノズル部材（ノズル部）
４１  第１筒部
４２  第２筒部
４３  吐出口
４６  被ガイド片
５０  ノズルユニット
５１  間隙
６０  容器本体ユニット
１００  エアゾール容器
【図１】
2019051951.tif 000003
【図２】
2019051951.tif 000004
【図３】
2019051951.tif 000005